(57)【要約】【課題】隣接セル間における下りリンク及び上りリンクのセル境界の差を低減する。【解決手段】基地局装置１０−１は、下りリンクにおける無線信号を送信するための第１アンテナ１１と、上りリンクにおける無線信号を受信するための第２アンテナ１２と、第１アンテナ１１あるいは第２アンテナ１２のチルト角を制御するチルト角制御部１５を備える。チルト角制御部１５は、基地局装置１０−１に関する下りリンクでの通信品質及び上りリンクでの通信品質と、隣接基地局装置１０−２に関する下りリンクでの通信品質及び上りリンクでの通信品質とに基づいて、基地局装置１０−１及び隣接基地局装置１０−２の間における下りリンクのセル境界と上りリンクのセル境界との差を低減するように、チルト角を制御する。【選択図】図１
2011055273.tif 000002
【特許請求の範囲】
【請求項１】
基地局装置であって、
下りリンクにおける無線信号を送信するための第１アンテナと、
上りリンクにおける無線信号を受信するための第２アンテナと、
前記基地局装置としての第１基地局装置に関する下りリンクでの通信品質及び上りリンクでの通信品質と、隣接基地局装置である第２基地局装置に関する下りリンクでの通信品質及び上りリンクでの通信品質とに基づいて、前記第１基地局装置及び前記第２基地局装置の間における下りリンクのセル境界と上りリンクのセル境界との差を低減するように、前記第１アンテナあるいは前記第２アンテナのチルト角を制御するチルト角制御部と、
を備える基地局装置。
【請求項２】
前記チルト角制御部は、所定地点に置かれた通信装置と前記第１基地局装置との間の下りリンクでの通信品質と、前記通信装置と前記第２基地局装置との間の下りリンクの通信品質との差を低減するように前記第１アンテナのチルト角を制御する、請求項１に記載の基地局装置。
【請求項３】
前記チルト角制御部は、所定地点に置かれた通信装置と前記第１基地局装置との間の上りリンクでの通信品質と、前記通信装置と前記第２基地局装置との間の上りリンクの通信品質との差を低減するように前記第２アンテナのチルト角を制御する、請求項１に記載の基地局装置。
【請求項４】
前記チルト角制御部は、複数の移動局装置のうち、下りリンクにおいて最も高い通信品質が測定される基地局装置が前記第１基地局装置である移動局装置のグループと、上りリンクにおいて最も高い通信品質が測定される基地局装置が前記第１基地局装置である移動局装置のグループと、の間の不一致を低減するように前記第１アンテナあるいは前記第２アンテナのそれぞれのチルト角を制御する請求項１に記載の基地局装置。
【請求項５】
前記チルト角制御部は、前記第１基地局装置及び前記第２基地局装置の間における下りリンクのセル境界と上りリンクのセル境界との差を低減するように、前記第１アンテナ及び前記第２アンテナのそれぞれのチルト角を制御する請求項１〜４のいずれか一項に記載の基地局装置。
【請求項６】
請求項１〜５のいずれか一項に記載の基地局装置と通信する移動局装置であって、上りリンクでの通信品質を測定するための参照信号を送信する参照信号送信部を備える移動局装置。
【請求項７】
下りリンクにおける無線信号の送信および上りリンクにおける無線信号の受信のために基地局装置にそれぞれ設けられた第１アンテナ及び第２アンテナのチルト角の制御方法であって、
前記基地局装置としての第１基地局装置に関する下りリンクでの通信品質及び上りリンクでの通信品質と、隣接基地局装置である第２基地局装置に関する下りリンクでの通信品質及び上りリンクでの通信品質をそれぞれ測定し、
測定された各前記通信品質に基づいて、前記第１基地局装置及び前記第２基地局装置の間における下りリンクのセル境界と上りリンクのセル境界との差を低減するように、前記第１基地局装置における前記第１アンテナあるいは前記第２アンテナのチルト角を制御する方法。
【発明の詳細な説明】
【技術分野】
【０００１】
本明細書で論じられる実施態様は、無線通信システムにおける基地局装置及び移動局装置に関する。
【背景技術】
【０００２】
モバイルセルラーネットワークでは、地理的な通信可能エリアは多くのセルに分割され、これらのセルの各々は一つの基地局との接続を行なう。移動局の電源が投入されると、移動局は交信先の基地局をサーチする。セルサーチ機能は多くの場合、周期的に送信されるセル固有基準信号か、または、プリアンブルに基づいて行なわれる。簡易な方法では、各基準信号を検出し、次に最良の基地局を求めようとすることにより、サーチを網羅的に行なう。
【０００３】
なお、より小さなマイクロセルを含むマクロセルを包含する移動体通信システムにおいて利用される方法が提案されている。この方法は、アップリンク通信セル境界を、マクロセルとマイクロセルとの間で確立する工程と、ダウンリンク通信セル境界を、マクロセルとマイクロセルとの間で、アップリンク通信セル境界とは異なるように確立する工程と、を備える。アップリンク通信セル境界は、ダウンリンク通信セル境界よりも広くなるように確立される。ダウンリンク通信セル境界は、ブロードキャスト信号を送信するマイクロセルに関連づけられた基地局のダウンリンク・アンテナ・ビームを傾斜させて、ブロードキャスト信号のカバーエリアを縮小させることにより確立される。
【０００４】
また、同一の通信領域をカバーするための複数本のチルトビームアンテナと、チルトビームアンテナのうち少なくとも１本のチルトビームアンテナのチルト角を他のチルトビームアンテナのチルト角と異なるように変化させるビームチルト角制御手段と、から構成される基地局が提案されている。この基地局は、上り回線では、少なくとも２本のチルトビームアンテナを用いて受信したレベルをレイク合成し、下り回線では、受信レベルが高い方の少なくとも１本のチルトビームアンテナを用いて送信する。
【先行技術文献】
【特許文献】
【０００５】
【特許文献１】特開２００８−１４１７４１号公報
【特許文献２】特表２００７−５１４３６７号公報
【特許文献３】特開２００７−２８０９１号公報
【発明の概要】
【発明が解決しようとする課題】
【０００６】
上りリンクと下りリンクとの間で、移動局装置にとって接続先として好ましいセルが異なることがある。このような状態を「上下非対称状態」と呼ぶことがある。
【０００７】
上下非対称状態は、例えば、隣接するセルにそれぞれ配置される基地局装置の送信電力が異なる場合に発生することがある。いま、隣接する２つのセルにそれぞれ送信電力が異なる基地局装置が配置されており、送信電力が比較的大きな基地局装置よりも送信電力が比較的小さな基地局装置の方にやや近い位置に、移動局装置が位置する場合を想定する。このような場合、下りリンクに関しては、送信電力が比較的小さな基地局装置よりも送信電力が比較的大きな基地局装置から受信する受信電力の方が大きいため、移動局装置にとっては送信電力が比較的大きな基地局装置に接続される方が好ましい。
【０００８】
一方で上りリンクに関しては、移動局装置により近い、送信電力が比較的小さな基地局装置の方が、送信電力が比較的大きな基地局装置よりも受信電力が大きくなる。このため、移動局装置にとっては送信電力が比較的小さな基地局装置に接続される方が好ましい。
【０００９】
上下非対称状態が発生すると、接続セルで受信される上りリンクの受信電力よりも他セルで受信される干渉電力の方が大きくなるため、上りリンクにおける通信品質の劣化を招く恐れがある。実施態様に係る装置及び方法は、隣接セル間における下りリンク及び上りリンクのセル境界の差を低減することを目的とする。
【課題を解決するための手段】
【００１０】
実施態様による基地局装置は、下りリンクにおける無線信号を送信するための第１アンテナと、上りリンクにおける無線信号を受信するための第２アンテナと、第１アンテナあるいは第２アンテナのチルト角を制御するチルト角制御部を備える。チルト角制御部は、基地局装置に関する下りリンクでの通信品質及び上りリンクでの通信品質と、隣接基地局装置に関する下りリンクでの通信品質及び上りリンクでの通信品質とに基づいて、基地局装置及び隣接基地局装置の間における下りリンクのセル境界と及び上りリンクのセル境界との差を低減するように、第１アンテナあるいは第２アンテナのチルト角を制御する。
【発明の効果】
【００１１】
本件開示の装置又は方法によれば、下りリンクのセル境界と及び上りリンクのセル境界との差が低減される。
【図面の簡単な説明】
【００１２】
【図１】基地局装置における実施例の構成図である。
【図２】チルト角の制御方法における実施例の説明図である。
【図３】無線通信システムにおける第１実施例の構成図である。
【図４】図３に示す基地局装置の構成の第１例を示す図である。
【図５】図３に示す通信装置の構成例を示す図である。
【図６】図４に示すチルト角制御部の構成例を示す図である。
【図７】図３に示す無線通信システムにおける送信アンテナのチルト角の制御例の説明図である。
【図８】図３に示す基地局装置の構成の第２例を示す図である。
【図９】無線通信システムにおける第２実施例の構成図である。
【図１０】図９に示す通信装置の構成例を示す図である。
【図１１】図９に示す基地局装置の構成例を示す図である。
【図１２】図９に示す無線通信システムにおける受信アンテナのチルト角の制御例の説明図である。
【図１３】無線通信システムにおける第３実施例の構成図である。
【図１４】図１３に示す基地局装置の構成例を示す図である。
【図１５】図１３に示す通信装置の構成例を示す図である。
【図１６】図１３に示す無線通信システムにおける受信アンテナのチルト角の制御例の説明図である。
【図１７】無線通信システムにおける第４実施例の構成図である。
【図１８】図１７に示す移動局装置の構成例を示す図である。
【図１９】図１７に示す基地局装置の構成例を示す図である。
【図２０】図１９に示すチルト角制御部の構成例を示す図である。
【図２１】対応関係情報の実現例の説明図である。
【図２２】図１７に示す無線通信システムにおけるアンテナのチルト角の制御例の説明図である。
【図２３】無線通信システムにおける第５実施例の構成図である。
【図２４】図２３に示す移動局装置の構成例を示す図である。
【図２５】図２３に示す基地局装置の構成例を示す図である。
【図２６】図２３に示す無線通信システムにおけるアンテナのチルト角の制御例の説明図である。
【発明を実施するための形態】
【００１３】
以下、添付する図面を参照して本発明の実施例について説明する。図１は、基地局装置における実施例の構成図である。参照符号１０は基地局装置を示し、参照符号１１は送信アンテナを示し、参照符号１２は受信アンテナを示し、参照符号１３及び１４はチルト角変更部を示し、参照符号１５はチルト角制御部を示す。
【００１４】
基地局装置１０は、送信アンテナ１１と、受信アンテナ１２と、チルト角変更部１３及び１４と、チルト角制御部１５とを備える。送信アンテナ１１は、基地局装置１０から、移動局装置へ送信される下りリンク上の無線信号を送信する。受信アンテナ１２は、移動局装置から基地局装置１０へ送信される上りリンク上の無線信号を受信する。送信アンテナ１１及び受信アンテナ１２は、それぞれ特許請求の範囲の第１アンテナ及び第２アンテナの一例として挙げられる。
【００１５】
チルト角変更部１３及び１４は、それぞれ送信アンテナ１１及び受信アンテナ１２のアンテナ利得パターンの主ビームのチルト角を変更する。ここで「チルト角」とは、送信アンテナ１１及び受信アンテナ１２のアンテナ利得パターンの主ビームの垂直面内方向と、水平方向との間の角度、すなわち俯角であってよい。説明の簡単のため、送信アンテナ１１及び受信アンテナ１２のアンテナ利得パターンの主ビームのチルト角を、それぞれ送信アンテナ１１及び受信アンテナ１２のチルト角と記載することがある。
【００１６】
チルト角制御部１５は、以下に説明するように、チルト角変更部１３及び１４の少なくともいずれか一方を制御することによって、送信アンテナ１１及び受信アンテナ１２の少なくともいずれか一方のチルト角を制御する。
【００１７】
図２は、チルト角の制御方法における実施例の説明図である。別な実施の態様においては、下記のオペレーションＡＡ〜ＡＣの各オペレーションはステップであってもよい。オペレーションＡＡにおいて、基地局装置１０と、基地局装置１０が配置されるセルに隣接する隣接セルに配置された他の基地局装置のそれぞれに関して、下りリンクでの通信品質が測定される。説明の便宜のため、隣接セルに配置された他の基地局装置を、「隣接基地局装置」と記載することがある。
【００１８】
例えば、基地局装置１０と隣接基地局装置からそれぞれ送信された無線信号を、移動局装置やその他の通信装置にて受信することにより、これら移動局装置や通信装置が、基地局装置１０及び隣接基地局装置に関する下りリンクでの通信品質を測定してよい。
【００１９】
オペレーションＡＢにおいて、基地局装置１０と隣接基地局装置のそれぞれに関して、上りリンクでの通信品質が測定される。例えば、移動局装置やその他の通信装置から送信された無線信号を、これら基地局装置でそれぞれ受信することにより、これら基地局装置が、それぞれの基地局装置に関する上りリンクでの通信品質を測定してよい。
【００２０】
または、例えば、基地局装置１０と隣接基地局装置からそれぞれ送信された無線信号を、移動局装置やその他の通信装置にて受信することにより、これら移動局装置や通信装置が、基地局装置１０及び隣接基地局装置に関する上りリンクでの通信品質を測定してよい。このとき上りリンクでの通信品質は、例えば、移動局装置や通信装置にて測定された受信電力を、基地局装置１０及び隣接基地局装置の既知の送信電力から引いた、伝搬ロスに基づいて定められてもよい。なお、オペレーションＡＡ及びオペレーションＡＢはどちらが先に実行されてもよい。
【００２１】
オペレーションＡＣにおいて、チルト角制御部１５は、基地局装置１０に関する上下リンクでの各通信品質と、隣接基地局装置に関する上下リンクでの各通信品質とに基づき、送信アンテナ１１及び受信アンテナ１２の少なくともいずれか一方の各チルト角を制御する。このときチルト角制御部１５は、基地局装置１０が配置されたセルと隣接基地局装置が配置された隣接セルの間における下りリンクのセル境界と、上りリンクのセル境界との差を低減するように、送信アンテナ１１及び受信アンテナ１２の少なくともいずれか一方の各チルト角を制御する。
【００２２】
例えば、下りリンクのセル境界の方が上りリンクのセル境界より基地局装置１０から遠いとき、チルト角制御部１５は、送信アンテナ１１のチルト角を大きくして下りリンクのセルを縮小する。これに加えて又はこれに代えて、チルト角制御部１５は、受信アンテナ１２のチルト角を小さくして上りリンクのセルを拡大する。また、上りリンクのセル境界の方が下りリンクのセル境界より基地局装置１０から遠いとき、チルト角制御部１５は、受信アンテナ１２のチルト角を大きくして上りリンクのセルを縮小する。これに加えて又はこれに代えて、チルト角制御部１５は、送信アンテナ１２のチルト角を大きくして下りリンクのセルを拡大する。
【００２３】
下りリンクのセル境界及び上りリンクのセル境界のどちらが基地局装置１０に近いかは、基地局装置１０に関する上下リンクでの各通信品質と、隣接基地局装置に関する上下リンクでの各通信品質とにより判定することができる。
【００２４】
例えば、セル境界付近にいる通信装置と、基地局装置１０及び隣接基地局装置のそれぞれとの間で下りリンク及び上りリンクの通信品質を測定すれば、上下どちらのセル境界が基地局装置１０に近いかが分かる。すなわち、基地局装置１０及び隣接基地局装置の間の下りリンクの通信品質の差と、上りリンクの通信品質の差とに基づいて、上下どちらのセル境界が基地局装置１０に近いか判定することができる。
【００２５】
このため、例えばチルト角制御部１５は、所定地点に置かれた通信装置と基地局装置１０との間の下りリンクでの通信品質と、この通信装置と隣接基地局装置との間の下りリンクの通信品質との差を低減するように送信アンテナ１１のチルト角を制御してよい。また、例えばチルト角制御部１５は、所定地点に置かれた通信装置と基地局装置１０との間の上りリンクでの通信品質と、この通信装置と隣接基地局装置との間の上りリンクの通信品質との差を低減するように受信アンテナ１２のチルト角を制御してよい。
【００２６】
また例えば、複数の移動局装置に関して、上下リンクそれぞれにおいて、最も高い通信品質が測定される基地局装置を決定することによって、下りリンクのセル境界及び上りリンクのセル境界のどちらが基地局装置１０に近いかを判定することができる。このとき、下りリンクにおいて最も高い通信品質が測定される基地局装置が基地局装置１０である移動局装置のグループＡと、上りリンクにおいて最も高い通信品質が測定される基地局装置が基地局装置１０である移動局装置のグループＢとを決定する。
【００２７】
グループＡに属する移動局装置の方がグループＢに属する移動局装置よりも多ければ、上りリンクのセル境界の方が下りリンクのセル境界よりも基地局装置１０に近い。グループＢに属する移動局装置の方がグループＡに属する移動局装置よりも多ければ、下りリンクのセル境界の方が上りリンクのセル境界よりも基地局装置１０に近い。このため、例えばチルト角制御部１５は、グループＡとグループＢとの間の不一致を低減するように、送信アンテナ１１及び受信アンテナ１２の少なくともいずれか一方のチルト角を制御してよい。
【００２８】
またハンドオーバが発生した移動局装置が下りリンクのセル境界付近にいるという事実を利用してもよい。すなわち、ハンドオーバが発生した移動局装置と、基地局装置１０及び隣接基地局装置との間でそれぞれ上りリンクの通信品質を測定することにより、上下どちらのセル境界が基地局装置１０に近いか判定することができる。
【００２９】
このため、例えばチルト角制御部１５は、ハンドオーバ処理を行う移動局装置と基地局装置１０との間の上りリンクでの通信品質と、この移動局装置と隣接基地局装置との間の上りリンクの通信品質との差を低減するようにチルト角を制御する。
【００３０】
本実施例によれば、隣接セル間における下りリンク及び上りリンクのセル境界の差を低減するように、送信アンテナ１１及び受信アンテナ１２の少なくともいずれか一方のチルト角を制御することができる。
【００３１】
隣接する２つのセルにそれぞれ送信電力が異なる基地局装置が配置されている場合を想定する。上述の制御によって、送信電力が比較的大きな基地局装置における送信アンテナ１１のチルト角は、例えば、受信アンテナ１２のチルト角よりも大きくなるように制御されてよい。このように制御されることにより、送信電力が比較的大きな基地局装置が配置されたセルの下りリンクのセル半径が縮小され、上りリンクのセル半径が拡大される。
【００３２】
一方で、送信電力が比較的小さな基地局装置における送信アンテナ１１のチルト角は、例えば、受信アンテナ１２のチルト角よりも小さくなるように制御されてよい。このように制御されることにより、送信電力が比較的小さな基地局装置が配置されたセルの下りリンクのセル半径が拡大され、上りリンクのセル半径が縮小される。
【００３３】
続いて、基地局装置を含む無線通信システムにおける実施例を説明する。図３は、無線通信システムにおける第１実施例の構成図である。参照符号１０−１は基地局装置を示し、参照符号１０−２は隣接基地局装置を示し、参照符号５０は通信装置を示す。参照符号５１は通信装置５０の送信アンテナを示し、参照符号５２は通信装置５０の受信アンテナを示す。
【００３４】
無線通信システム１は、基地局装置１０−１と、隣接基地局装置１０−２とを含む。本実施例では、基地局装置１０−１の送信アンテナ１１のチルト角を調整するために、下りリンクのセル境界の目標位置として予め定められた所望のセル境界位置に通信装置５０を配置する。例えば、送信アンテナ１１及び／又は受信アンテナ１２のチルト角の調整前における、下りリンクのセル境界と上りリンクのセル境界の中間位置を、このような目標位置として使用してよい。
【００３５】
基地局装置１０−１及び隣接基地局装置１０−２は、それぞれ下りリンクにおける通信品質測定用の下りリンク用参照信号を通信装置５０へ送信する。通信装置５０は、上記の所望の目標位置における、基地局装置１０−１と通信装置５０との間の下りリンクの通信品質と、隣接基地局装置１０−２と通信装置５０との間の下りリンクの通信品質を測定する。
【００３６】
図４は、図３に示す基地局装置１０−１の構成の第１例を示す図である。隣接基地局装置１０−２も基地局装置１０−１と同様の構成を有していてよい。以下の他の実施例においても同様である。参照符号１６は、下りリンク用参照信号送信部を示し、参照符号１７は下りリンク通信品質取得部を示す。図１に示す構成要素と同様の構成要素には図１で使用した参照符号と同じ参照符号を付する。
【００３７】
基地局装置１０−１は、送信アンテナ１１と、受信アンテナ１２と、チルト角変更部１３と、チルト角制御部１５と、下りリンク用参照信号送信部１６と、下りリンク通信品質取得部１７を備える。下りリンク用参照信号送信部１６は、下りリンク用参照信号を、送信アンテナ１１を介して送信する。下りリンク用参照信号は、通信装置５０が基地局装置１０−１と通信装置５０との間の下りリンクの通信品質を測定する際に使用される。
【００３８】
下りリンク通信品質取得部１７は、通信装置５０から送信される、基地局装置１０−１と通信装置５０との間の下りリンクの通信品質を示す下りリンク通信品質情報を受信する。また、下りリンク通信品質取得部１７は、隣接基地局装置１０−２と通信装置５０との間の下りリンクに関する下りリンク通信品質情報を受信してもよい。
【００３９】
図５は、図３に示す通信装置５０の構成例を示す図である。参照符号５３は下りリンク通信品質測定部を示し、参照符号５４は下りリンク通信品質情報送信部を示す。通信装置５０は、送信アンテナ５１と、受信アンテナ５２と、下りリンク通信品質測定部５３と、下りリンク通信品質情報送信部５４とを備える。
【００４０】
下りリンク通信品質測定部５３は、基地局装置１０−１と通信装置５０との間の下りリンクの通信品質、及び隣接基地局装置１０−２と通信装置５０との間の下りリンクの通信品質を測定する。例えば、下りリンク通信品質測定部５３は、これらの基地局装置１０−１及び１０−２からそれぞれ送信された下りリンク用参照信号の受信電力を、それぞれの下りリンクの通信品質として測定してよい。
【００４１】
下りリンク通信品質情報送信部５４は、基地局装置１０−１と通信装置５０との間で測定された下りリンクの通信品質を示す下りリンク通信品質情報を基地局装置１０−１へ送信する。下りリンク通信品質情報送信部５４は、隣接基地局装置１０−２と通信装置５０との間で測定された下りリンクの通信品質を示す下りリンク通信品質情報も、基地局装置１０−１へ送信してよい。
【００４２】
図６は、図４に示すチルト角制御部１５の構成例を示す図である。参照符号３０は減算器を示し、参照符号３１は比較部を示し、参照符号３２は調整量決定部を示す。チルト角制御部１５は、減算器３０と、比較部３１と、調整量決定部３２を備える。
【００４３】
減算器３０は、基地局装置１０−１と通信装置５０との間、及び隣接基地局装置１０−２と通信装置５０との間でそれぞれ測定された下りリンクの通信品質を示す下りリンク通信品質情報を入力する。減算器３０は、基地局装置１０−１と通信装置５０との間、及び隣接基地局装置１０−２と通信装置５０との間でそれぞれ測定された下りリンクの通信品質の差分を算出する。
【００４４】
比較部３１は、通信品質の差分の大きさと所定の閾値Ｔ１とを比較する。通信品質の差分の大きさが所定の閾値Ｔ１よりも大きいとき、調整量決定部３２は、送信アンテナ１１のチルト角を調整する調整量を決定する。例えば、基地局装置１０−１と通信装置５０との間の品質が、隣接基地局装置１０−２と通信装置５０との間の品質よりも高いとき、調整量決定部３２は、送信アンテナ１１のチルト角を大きくするように調整量を決定する。反対に、隣接基地局装置１０−２と通信装置５０との間の品質が、基地局装置１０−１と通信装置５０との間の品質よりも高いとき、調整量決定部３２は、送信アンテナ１１のチルト角を小さくするように調整量を決定する。
【００４５】
調整量決定部３２は、例えば、通信品質の差分とチルト角の調整量との関係を予め定めるテーブルや計算式に基づいて、調整量の大きさを決定してよい。また例えば、一度の調整で調整量決定部３２から指示される調整量を、固定されたステップ角度幅Δθの調整量としてよい。
【００４６】
図４のチルト角変更部１３は、調整量決定部３２により決定された調整量に基づいて、送信アンテナ１１のチルト角を機械的又は電気的に変更する。
【００４７】
図７は、図３に示す無線通信システムにおける送信アンテナのチルト角の制御例の説明図である。別な実施の態様においては、下記のオペレーションＢＡ〜ＢＨの各オペレーションはステップであってもよい。オペレーションＢＡにおいて、送信アンテナ１１のチルト角の調整を行うオペレータは、通信装置５０を、所望のセル境界位置へ配置する。
【００４８】
オペレーションＢＢにおいて基地局装置１０−１及び隣接基地局装置１０−２の下りリンク用参照信号送信部１６は、それぞれ下りリンク用参照信号を送信する。オペレーションＢＣにおいて通信装置５０の下りリンク通信品質測定部５３は、基地局装置１０−１と通信装置５０との間の下りリンクの通信品質、及び隣接基地局装置１０−２と通信装置５０との間の下りリンクの通信品質を測定する。
【００４９】
オペレーションＢＤにおいて下りリンク通信品質情報送信部５４は、基地局装置１０−１と通信装置５０との間、隣接基地局装置１０−２と通信装置５０との間の各下りリンクに関する下りリンク通信品質情報を基地局装置１０−１へ送信する。
【００５０】
オペレーションＢＥにおいて基地局装置１０−１のチルト角制御部１５は、基地局装置１０−１と通信装置５０との間、及び隣接基地局装置１０−２と通信装置５０との間のそれぞれの下りリンクの通信品質の差分が、閾値Ｔ１以下か否かを判定する。通信品質の差分が閾値Ｔ１以下であるとき（オペレーションＢＥ：Ｙ）、処理は終了する。通信品質の差分が閾値Ｔ１以下でないとき（オペレーションＢＥ：Ｎ）、処理はオペレーションＢＦへ移行する。
【００５１】
オペレーションＢＦにおいてチルト角制御部１５は、基地局装置１０−１と通信装置５０との間の通信品質が、隣接基地局装置１０−２と通信装置５０との間の通信品質よりも高いか否かを判定する。基地局装置１０−１と通信装置５０との間の通信品質が、隣接基地局装置１０−２と通信装置５０との間の通信品質よりも高いとき（オペレーションＢＦ：Ｙ）、処理はオペレーションＢＧへ移行する。基地局装置１０−１と通信装置５０との間の通信品質が、隣接基地局装置１０−２と通信装置５０との間の通信品質よりも高くないとき（オペレーションＢＦ：Ｎ）、処理はオペレーションＢＨへ移行する。
【００５２】
オペレーションＢＧにおいて調整量決定部３２は、送信アンテナ１１のチルト角を大きくするように調整量を決定する。オペレーションＢＨにおいて調整量決定部３２は、送信アンテナ１１のチルト角を小さくするように調整量を決定する。チルト角変更部１３は、決定された調整量に基づいて送信アンテナ１１のチルト角を変更する。オペレーションＢＧ又はＢＨの後、処理はオペレーションＢＢへ戻る。オペレーションＢＥの判定において通信品質の差分が閾値Ｔ１以下となるまで、オペレーションＢＢ〜オペレーションＢＨが反復される。
【００５３】
本実施例によれば、下りリンクのセル境界を所望の目標位置へ位置づけるように、送信アンテナ１１のチルト角を調整することが可能となる。このため本実施例によれば、隣接セル間における下りリンク及び上りリンクのセル境界の差をなくす、もしくは低減する際に、下りリンクのセル境界の位置を制御することができる。
【００５４】
図８は、図３に示す基地局装置１０−１の構成の第２例を示す図である。参照符号１８は基地局間通信部を示し、参照符号１９は隣接セル通信品質取得部を示す。図４に示す構成要素と同様の構成要素には図４で使用した参照符号と同じ参照符号を付する。基地局装置１０−１は、送信アンテナ１１と、受信アンテナ１２と、チルト角変更部１３と、チルト角制御部１５と、下りリンク用参照信号送信部１６と、下りリンク通信品質取得部１７と、基地局間通信部１８を備える。基地局間通信部１８は、隣接セル通信品質取得部１９を備える。
【００５５】
図３〜図７を参照して説明した実施例では、通信装置５０は、基地局装置１０−１と通信装置５０との間、隣接基地局装置１０−２と通信装置５０との間の、両方の下りリンクに関する下りリンク通信品質情報を基地局装置１０−１へ送信する。
【００５６】
これに代えて、本実施例による通信装置５０は、基地局装置１０−１と通信装置５０との間の下りリンク通信品質情報を基地局装置１０−１へ、隣接基地局装置１０−２と通信装置５０との間の下りリンク通信品質情報を隣接基地局装置１０−２へ送信する。そして、隣接基地局装置１０−２は、送信された下りリンク通信品質情報を、基地局間通信部１８によって基地局装置１０−１へ送信する。基地局装置１０−１の隣接セル通信品質取得部１９は、隣接基地局装置１０−２から送信された隣接基地局装置１０−２と通信装置５０との間の下りリンク通信品質情報を取得する。
【００５７】
本実施例によっても、基地局装置１０−１は、基地局装置１０−１と通信装置５０との間、隣接基地局装置１０−２と通信装置５０との間の、両方の下りリンクに関する下りリンク通信品質情報を取得することが可能である。
【００５８】
続いて、無線通信システムにおける他の実施例を説明する。図９は、無線通信システムにおける第２実施例の構成図である。本実施例では、基地局装置１０−１の受信アンテナ１１のチルト角を調整するために、上りリンクのセル境界の目標位置として予め定められた所望のセル境界位置に通信装置５０を配置する。
【００５９】
通信装置５０は、上りリンクにおける通信品質測定用の上りリンク用参照信号を、上述の所望の目標位置から送信する。基地局装置１０−１は、通信装置５０から送信された上りリンク用参照信号を受信することにより、基地局装置１０−１と通信装置５０との間の上りリンクの通信品質を測定する。また隣接基地局装置１０−２も同様に、隣接基地局装置１０−２と通信装置５０との間の上りリンクの通信品質を測定する。
【００６０】
なお、本実施例の基地局装置１０−１も、送信アンテナ１１のチルト角の調整のために図４に示す構成を含んでいてよい。同様に本実施例の通信装置５０も、基地局装置１０−１の送信アンテナ１１のチルト角の調整のために図５に示す構成を含んでいてよい。
【００６１】
図１０は、図９に示す通信装置５０の構成例を示す図である。参照符号５５は、上りリンク用参照信号送信部を備える。図５に示す構成要素と同様の構成要素には図５で使用した参照符号と同じ参照符号を付する。通信装置５０は、送信アンテナ５１と、受信アンテナ５２と、上りリンク用参照信号送信部５５を備える。上りリンク用参照信号送信部５５は、送信アンテナ５１を介して上りリンク用参照信号を送信する。上りリンク用参照信号は、基地局装置１０−１が、基地局装置１０−１と通信装置５０との間の上りリンクの通信品質を測定する際に使用される。
【００６２】
図１１は、図９に示す基地局装置１０−１の構成例を示す図である。参照符号２０は上りリンク通信品質測定部を示す。図１又は図８に示す構成要素と同様の構成要素には図１又は図８で使用した参照符号と同じ参照符号を付する。基地局装置１０−１は、送信アンテナ１１と、受信アンテナ１２と、チルト角変更部１４と、チルト角制御部１５と、基地局間通信部１８と、上りリンク通信品質測定部２０を備える。基地局間通信部１８は、隣接セル通信品質取得部１９を備える。
【００６３】
上りリンク通信品質測定部２０は、基地局装置１０−１と通信装置５０との間の上りリンクの通信品質を測定する。例えば、上りリンク通信品質測定部２０は、通信装置５０から送信された上りリンク用参照信号の受信電力を、上りリンクの通信品質として測定してよい。
【００６４】
基地局間通信部１８は、上りリンク通信品質測定部２０により測定された上りリンクに関する上りリンク通信品質情報を、隣接基地局装置１０−２へ送信する。隣接セル通信品質取得部１９は、隣接基地局装置１０−２において同様に測定された隣接基地局装置１０−２と通信装置５０との間の上りリンクに関する上りリンク通信品質情報を受信する。
【００６５】
チルト角制御部１５は、通信装置５０と基地局装置１０−１との間の上りリンクでの通信品質と、通信装置５０と隣接基地局装置１０−２との間の上りリンクの通信品質との差を低減するような受信アンテナ１２のチルト角の調整量を決定する。チルト角変更部１４は、チルト角制御部１５により決定された調整量に基づいて、受信アンテナ１２のチルト角を機械的又は電気的に変更する。チルト角制御部１５の構成は、図６を参照して上述した構成と同様であってよい。
【００６６】
図１２は、図９に示す無線通信システムにおける受信アンテナのチルト角の制御例の説明図である。別な実施の態様においては、下記のオペレーションＣＡ〜ＣＨの各オペレーションはステップであってもよい。オペレーションＣＡにおいて、受信アンテナ１２のチルト角の調整を行うオペレータは、通信装置５０を所望のセル境界位置へ配置する。
【００６７】
オペレーションＣＢにおいて通信装置５０の上りリンク用参照信号送信部５５は、上りリンク用参照信号を送信する。オペレーションＣＣにおいて基地局装置１０−１及び隣接基地局装置１０−２の上りリンク通信品質測定部２０は、各基地局装置１０−１及び１０−２と通信装置５０との間の上りリンクの通信品質をそれぞれ測定する。
【００６８】
オペレーションＣＤにおいて基地局間通信部１８は、上りリンク通信品質情報を隣接基地局装置１０−２へ送信する。また、隣接セル通信品質取得部１９は、隣接基地局装置１０−２において同様に測定された基地局装置１０−２と通信装置５０との間の上りリンクに関する上りリンク通信品質情報を受信する。
【００６９】
オペレーションＣＥにおいて基地局装置１０−１のチルト角制御部１５は、基地局装置１０−１と通信装置５０との間、及び隣接基地局装置１０−２と通信装置５０との間のそれぞれの上りリンクの通信品質の差分が、閾値Ｔ２以下か否かを判定する。通信品質の差分が閾値Ｔ２以下であるとき（オペレーションＣＥ：Ｙ）、処理は終了する。通信品質の差分が閾値Ｔ２以下でないとき（オペレーションＣＥ：Ｎ）、処理はオペレーションＣＦへ移行する。
【００７０】
オペレーションＣＦにおいてチルト角制御部１５は、基地局装置１０−１と通信装置５０との間の通信品質が、隣接基地局装置１０−２と通信装置５０との間の通信品質よりも高いか否かを判定する。基地局装置１０−１と通信装置５０との間の通信品質が、隣接基地局装置１０−２と通信装置５０との間の通信品質よりも高いとき（オペレーションＣＦ：Ｙ）、オペレーションＣＧへ移行する。基地局装置１０−１と通信装置５０との間の通信品質が、隣接基地局装置１０−２と通信装置５０との間の通信品質よりも高くないとき（オペレーションＣＦ：Ｎ）、オペレーションＣＨへ移行する。
【００７１】
オペレーションＣＧにおいて調整量決定部３２は、受信アンテナ１２のチルト角を大きくするように調整量を決定する。オペレーションＣＨにおいて調整量決定部３２は、受信アンテナ１２のチルト角を小さくするように調整量を決定する。チルト角変更部１４は、決定された調整量に基づいて受信アンテナ１２のチルト角を変更する。オペレーションＣＧ又はＣＨの後、処理はオペレーションＣＢへ戻る。オペレーションＣＥの判定において通信品質の差分が閾値Ｔ１以下となるまで、オペレーションＣＢ〜オペレーションＣＨが反復される。
【００７２】
本実施例によれば、上りリンクのセル境界を所望の目標位置へ位置づけるように、受信アンテナ１２のチルト角を調整することが可能となる。このため本実施例によれば、隣接セル間における下りリンク及び上りリンクのセル境界の差をなくす、もしくは低減する際に、上りリンクのセル境界の位置を制御することができる。
【００７３】
続いて、上述の所望の目標位置に置かれた通信装置５０を利用して、基地局装置１０−１の受信アンテナ１１のチルト角を調整する他の実施例を説明する。無線通信システムにおける他の実施例を説明する。図１３は、無線通信システムにおける第３実施例の構成図である。なお、本実施例の基地局装置１０−１も、送信アンテナ１１のチルト角の調整のために図４に示す構成を含んでいてよい。同様に本実施例の通信装置５０も、基地局装置１０−１の送信アンテナ１１のチルト角の調整のために図５に示す構成を含んでいてよい。
【００７４】
本実施例では、基地局装置１０−１及び隣接基地局装置１０−２は、それぞれの受信アンテナ１２から、上りリンクにおける通信品質測定用の上りリンク用参照信号を送信する。通信装置５０は、上記の所望の目標位置において基地局装置１０−１及び隣接基地局装置１０−２から上りリンク用参照信号をそれぞれ受信することにより、各基地局装置１０−１及び１０−２と通信装置５０とのそれぞれの間の上りリンクの通信品質を測定する。
【００７５】
図１４は、図１３に示す基地局装置１０−１の構成例を示す図である。参照符号２１は上りリンク用参照信号送信部を示し、参照符号２２は上りリンク通信品質取得部を示す。図１１に示す構成要素と同様の構成要素には図１１で使用した参照符号と同じ参照符号を付する。基地局装置１０−１は、送信アンテナ１１と、受信アンテナ１２と、チルト角変更部１４と、チルト角制御部１５と、上りリンク用参照信号送信部２１と、上りリンク通信品質取得部２２を備える。
【００７６】
上りリンク用参照信号送信部２１は、上りリンク用参照信号を、受信アンテナ１２を介して送信する。上りリンク用参照信号は、後述するように通信装置５０が基地局装置１０−１と通信装置５０との間の上りリンクの通信品質を測定する際に使用する。基地局装置１０−１の送信アンテナ１１から、別途、下りリンク用参照信号が送信されるときは、上りリンク用参照信号は、下りリンク用参照信号と、異なるタイムスロットやタイムフレームで送信されるか、周波数的又は符号的に直交した信号であってよい。
【００７７】
上りリンク通信品質取得部２２は、通信装置５０から送信される、基地局装置１０−１と通信装置５０との間の上りリンクの通信品質を示す上りリンク通信品質情報を受信する。また、上りリンク通信品質取得部２２は、隣接基地局装置１０−２と通信装置５０との間の上りリンクに関する上りリンク通信品質情報を受信してもよい。
【００７８】
図１５は、図１３に示す通信装置５０の構成例を示す図である。参照符号５６は上りリンク通信品質測定部を示し、参照符号５７は上りリンク通信品質情報送信部を示す。図５に示す構成要素と同様の構成要素には図５で使用した参照符号と同じ参照符号を付する。通信装置５０は、送信アンテナ５１と、受信アンテナ５２と、上りリンク通信品質測定部５６と、上りリンク通信品質情報送信部５７とを備える。
【００７９】
上りリンク通信品質測定部５６は、基地局装置１０−１と通信装置５０との間の上りリンクの通信品質、及び隣接基地局装置１０−２と通信装置５０との間の上りリンクの通信品質を測定する。例えば、上りリンク通信品質測定部５６は、予め通知された各基地局装置１０−１及び１０−２の送信電力から、各基地局装置１０−１及び１０−２からそれぞれ受信した上りリンク用参照信号の受信電力を引いた伝搬ロスをそれぞれ算出する。上りリンク通信品質測定部５６は、各伝搬ロスに基づいて、それぞれの下りリンクの通信品質を測定してよい。
【００８０】
上りリンク通信品質情報送信部５７は、基地局装置１０−１と通信装置５０との間の上りリンク通信品質情報を基地局装置１０−１へ送信する。上りリンク通信品質情報送信部５７は、隣接基地局装置１０−２と通信装置５０との間の上りリンク通信品質情報も、基地局装置１０−１へ送信してよい。
【００８１】
図１６は、図１３に示す無線通信システムにおける受信アンテナのチルト角の制御例の説明図である。下記のオペレーションＤＡ〜ＤＨの各オペレーションはステップであってもよい。オペレーションＤＡにおいて、受信アンテナ１２のチルト角の調整を行うオペレータは、通信装置５０を所望のセル境界位置へ配置する。
【００８２】
オペレーションＢＤにおいて基地局装置１０−１及び隣接基地局装置１０−２の上りリンク用参照信号送信部２１は、それぞれ上りリンク用参照信号を送信する。オペレーションＤＣにおいて通信装置５０の上りリンク通信品質測定部５６は、基地局装置１０−１と通信装置５０との間の上りリンクの通信品質、及び隣接基地局装置１０−２と通信装置５０との間の上りリンクの通信品質を測定する。
【００８３】
オペレーションＤＤにおいて下りリンク通信品質情報送信部５４は、基地局装置１０−１と通信装置５０との間、隣接基地局装置１０−２と通信装置５０との間の各上りリンクに関する上りリンク通信品質情報を基地局装置１０−１へ送信する。
【００８４】
オペレーションＤＥにおいて基地局装置１０−１のチルト角制御部１５は、基地局装置１０−１と通信装置５０との間、及び隣接基地局装置１０−２と通信装置５０との間のそれぞれの上りリンクの通信品質の差分が、閾値Ｔ２以下か否かを判定する。通信品質の差分が閾値Ｔ２以下であるとき（オペレーションＤＥ：Ｙ）、処理は終了する。通信品質の差分が閾値Ｔ２以下でないとき（オペレーションＤＥ：Ｎ）、処理はオペレーションＤＦへ移行する。
【００８５】
オペレーションＤＦにおいてチルト角制御部１５は、基地局装置１０−１と通信装置５０との間の通信品質が、隣接基地局装置１０−２と通信装置５０との間の通信品質よりも高いか否かを判定する。基地局装置１０−１と通信装置５０との間の通信品質が、隣接基地局装置１０−２と通信装置５０との間の通信品質よりも高いとき（オペレーションＤＦ：Ｙ）、処理はオペレーションＤＧへ移行する。基地局装置１０−１と通信装置５０との間の通信品質が、隣接基地局装置１０−２と通信装置５０との間の通信品質よりも高くないとき（オペレーションＤＦ：Ｎ）、処理はオペレーションＤＨへ移行する。
【００８６】
オペレーションＤＧにおいて調整量決定部３２は、受信アンテナ１２のチルト角を大きくするように調整量を決定する。オペレーションＤＨにおいて調整量決定部３２は、受信アンテナ１２のチルト角を小さくするように調整量を決定する。チルト角変更部１４は、決定された調整量に基づいて受信アンテナ１２のチルト角を変更する。オペレーションＤＧ又はＤＨの後、処理はオペレーションＤＢへ戻る。オペレーションＤＥの判定において通信品質の差分が閾値Ｔ１以下となるまで、オペレーションＤＢ〜オペレーションＤＨが反復される。
【００８７】
本実施例によっても、基地局装置１０−１は、各基地局装置１０−１及び１０−２と間の上りリンク通信品質情報を取得し、受信アンテナ１２のチルト角の調整を行うことが可能である。
【００８８】
なお、図１３〜図１６を参照して説明した実施例では、通信装置５０は、基地局装置１０−１と通信装置５０との間、隣接基地局装置１０−２と通信装置５０との間の、両方の上りリンクに関する上りリンク通信品質情報を基地局装置１０−１へ送信する。これに代えて通信装置５０は、基地局装置１０−１と通信装置５０との間の上りリンク通信品質情報を基地局装置１０−１へ、隣接基地局装置１０−２と通信装置５０との間の上りリンク通信品質情報を隣接基地局装置１０−２へ送信してもよい。そして、基地局装置１０−１は、図８を参照して説明した実施例と同様に、隣接基地局装置１０−２との間の基地局間通信によって、隣接基地局装置１０−２と通信装置５０との間の下りリンク通信品質情報を取得してもよい。
【００８９】
続いて、無線通信システムにおける他の実施例を説明する。図１７は、無線通信システムにおける第４実施例の構成図である。参照符号６０−１、６０−２〜６０−ｎのそれぞれは、基地局装置１０−１又は１０−２と通信を行う移動局装置である。これら移動局装置６０−１、６０−２〜６０−ｎを総称して、移動局装置６０と記載することがある。参照符号６１は移動局装置６０の送信アンテナを示し、参照符号６２は移動局装置６０の受信アンテナを示す。無線通信システム１は、基地局装置１０−１と、隣接基地局装置１０−２と、複数の移動局装置６０−１、６０−２〜６０−ｎを含む。
【００９０】
基地局装置１０−１及び隣接基地局装置１０−２は、下りリンク用参照信号を移動局装置６０へ送信する。移動局装置６０は、受信した下りリンク用参照信号の受信品質に基づいて、最も下りリンクの受信品質の良い基地局装置が配置されたセルを下りリンク接続セルとして決定する。移動局装置６０は、決定した下りリンク接続セルを示す下りリンク接続セル情報を、決定した下りリンク接続セルに配置された基地局装置１０−１へ送信する。
【００９１】
移動局装置６０は、上りリンク用参照信号を送信する。基地局装置１０−１は、移動局装置６０から送信された上りリンク用参照信号を受信することにより、基地局装置１０−１と移動局装置６０との間の上りリンクの通信品質を測定する。また隣接基地局装置１０−２も同様に、隣接基地局装置１０−２と移動局装置６０との間の上りリンクの通信品質を測定する。
【００９２】
図１８は、図１７に示す移動局装置６０の構成例を示す図である。参照符号６３は下りリンク通信品質測定部を示し、参照符号６４は下りリンク接続セル決定部を示し、参照符号６５は上り用リンク参照信号送信部を示す。移動局装置６０は、送信アンテナ６１と受信アンテナ６２と、下りリンク通信品質測定部６３と、下りリンク接続セル決定部６４と、上り用リンク参照信号送信部６５を備える。
【００９３】
下りリンク通信品質測定部６３は、基地局装置１０−１や、隣接基地局装置１０−２を含むその他の基地局装置からそれぞれ受信した下りリンク用参照信号に基づいて、これらの基地局装置と移動局装置６０との間のそれぞれの下りリンクの受信品質を測定する。例えば、下りリンク通信品質測定部６３は、各基地局装置からそれぞれ送信された参照信号の受信電力をそれぞれの下りリンクの受信品質として測定してよい。
【００９４】
下りリンク接続セル決定部６４は、下りリンクの受信品質に基づいて、最も下りリンクの受信品質の良い基地局装置が配置されたセルを下りリンク接続セルとして決定する。下りリンク接続セル決定部６４は、決定した下りリンク接続セルを示す下りリンク接続セル情報を、決定した下りリンク接続セルに配置された基地局装置へ送信する。下りリンク接続セル情報は、例えば、移動局装置６０の識別子と下りリンク接続セルの識別子を含んでいてよい。
【００９５】
上り用リンク参照信号送信部６５は、上りリンク用参照信号を送信アンテナ６１を介して送信する。上りリンク用参照信号は、基地局装置１０−１や、隣接基地局装置１０−２を含むその他の基地局装置が、移動局装置６０との間の上りリンクの通信品質を測定する際に使用される。上りリンク用参照信号は、移動局装置６０から送信される移動局装置６０の識別子情報と何らかの形で関連付けられた形式で送信される。例えば上りリンク用参照信号は、移動局装置６０の識別子を含むか、移動局装置６０の識別子を表す信号であってよい。また例えば、上りリンク用参照信号は、移動局装置６０の識別子と、同じタイムスロットやデータフレームにて移動局装置６０から送信されることにより、移動局装置６０の識別子と関連付けられてもよい。
【００９６】
図１９は、図１７に示す基地局装置１０−１の構成例を示す図である。参照符号２３は接続セル指示情報取得部を示し、参照符号２４は隣接セル接続情報取得部を示す。図４又は図１１に示す構成要素と同様の構成要素には図４又は図１１で使用した参照符号と同じ参照符号を付する。基地局装置１０−１は、送信アンテナ１１と、受信アンテナ１２と、チルト角変更部１３及び１４と、チルト角制御部１５と、下りリンク用参照信号送信部１６と、基地局間通信部１８と、上りリンク通信品質測定部２０と、接続セル指示情報取得部２３を備える。基地局間通信部１８は、隣接セル通信品質取得部１９と隣接セル接続情報取得部２４を備える。
【００９７】
下りリンク用参照信号送信部１６は、下りリンク用参照信号を、送信アンテナ１１を介して送信する。下りリンク用参照信号は、移動局装置６０が、基地局装置１０−１と移動局装置６０との間の下りリンクの受信品質を測定する際に使用される。接続セル指示情報取得部２３は、移動局装置６０から送信される下りリンク接続セル指示情報を、受信アンテナ１２を介して受信する。
【００９８】
基地局間通信部１８は、接続セル指示情報取得部２３により取得された下りリンク接続セル指示情報を隣接基地局装置１０−２へ送信する。隣接セル接続情報取得部２４は、隣接基地局装置１０−２から送信される、隣接基地局装置１０−２の接続セル指示情報取得部２３にて取得された下りリンク接続セル指示情報を受信する。接続セル指示情報取得部２３により取得された下りリンク接続セル指示情報及び隣接セル接続情報取得部２４により取得された下りリンク接続セル指示情報は、チルト角制御部１５へ出力される。
【００９９】
上りリンク通信品質測定部２０は、基地局装置１０−１と移動局装置６０との間の上りリンクの通信品質を測定する。例えば、上りリンク通信品質測定部２０は、移動局装置６０から送信された上りリンク用参照信号の受信電力を、上りリンクの通信品質として測定してよい。上りリンク通信品質測定部２０は、測定された上りリンクの通信品質を示す上りリンク通信品質情報を生成する。上りリンク通信品質情報は、上りリンクの通信品質と、基地局装置１０−１が配置されるセルの識別子と、移動局装置６０の識別子を含んでいてよい。
【０１００】
基地局間通信部１８は、上りリンク通信品質測定部２０により生成された上りリンク通信品質情報を隣接基地局装置１０−２へ送信する。隣接セル通信品質取得部１９は、隣接基地局装置１０−２から送信される、隣接基地局装置１０−２の上りリンク通信品質測定部２０により生成された上りリンク通信品質情報を受信する。上りリンク通信品質測定部２０により生成された上りリンク通信品質情報及び隣接セル通信品質取得部１９により取得された上りリンク通信品質情報は、チルト角制御部１５へ出力される。
【０１０１】
図２０は、図１９に示すチルト角制御部１５の構成例を示す図である。参照符号３２は調整量決定部を示し、参照符号３３は対応関係情報作成部を示し、参照符号３４は対応関係情報記憶部を示し、参照符号３５は非対称度決定部を示す。対応関係情報作成部３３は、チルト角制御部１５へ入力された下りリンク接続セル情報と、上りリンク通信品質情報とに基づいて、対応関係情報３６を作成する。対応関係情報３６は、対応関係情報記憶部３４に記憶される。
【０１０２】
対応関係情報３６は、各移動局装置６０と、各移動局装置６０において下りリンク接続セルとして選択されたセルとの対応関係を示す。ここに、下りリンク接続セルは、下りリンク用参照信号の受信品質が最も良い基地局装置が配置されるセルである。したがって、対応関係情報３６は、各移動局装置６０と、各移動局装置６０において最も良い下りリンクの通信品質が測定された基地局装置との対応関係を示す。さらに対応関係情報３６は、各移動局装置６０と、各移動局装置６０との上りリンクにおいて最も高い通信品質が測定される基地局装置が配置されるセルとの対応関係を示す。
【０１０３】
図２１は、対応関係情報３６の実現例の説明図である。対応関係情報３６は、例えば図２１に示すようなテーブル構造によって実現されてよい。図２１のテーブルは、各移動局装置６０の識別子を格納する欄と、各移動局装置６０の下りリンク接続セルの識別子を格納する欄と、各移動局装置６０との上りリンクにおいて最高の通信品質が測定される基地局装置のセルの識別子を格納する欄を有する。説明の便宜のため移動局装置６０との上りリンクにおいて最高の通信品質が測定される基地局装置のセルを、「上りリンク最高品質セル」と記載することがある。
【０１０４】
上下非対称状態でない場合には、各移動局装置６０の下りリンク接続セルと、上りリンク最高品質セルとはほぼ一致する。このため上下非対称状態でない場合には、基地局装置１０−１の配置セルを下りリンク接続セルとする移動局装置６０の数と、基地局装置１０−１の配置セルを上りリンク最高品質セルとする移動局装置６０の数とは、ほぼ同数である。
【０１０５】
図２０の非対称度決定部３５は、基地局装置１０−１の配置セルを下りリンク接続セルとする移動局装置６０の数と、基地局装置１０−１の配置セルを上りリンク最高品質セルとする移動局装置６０の数との相違を、「非対称度」として算出する。例えば非対称度決定部３５は、基地局装置１０−１の配置セルを下りリンク接続セルとする移動局装置６０の数と、基地局装置１０−１の配置セルを上りリンク最高品質セルとする移動局装置６０の数の差を、非対称度として算出してよい。また例えば例えば非対称度決定部３５は、基地局装置１０−１の配置セルを下りリンク接続セルとする移動局装置６０の数と、基地局装置１０−１の配置セルを上りリンク最高品質セルとする移動局装置６０の数の割合を、非対称度として算出してよい。
【０１０６】
非対称度の大きさが所定の閾値Ｔ３よりも大きいとき、調整量決定部３２は、送信アンテナ１１及び受信アンテナ１２の少なくともいずれか一方のチルト角を調整する調整量を決定する。基地局装置１０−１の配置セルを下りリンク接続セルとする移動局装置が、基地局装置１０−１の配置セルを上りリンク最高品質セルとする移動局装置よりも多いときは、調整量決定部３２は、送信アンテナ１１のチルト角を大きくするように調整量を決定する。これに加えて又はこれに代えて、調整量決定部３２は、かつ受信アンテナ１２のチルト角を小さくするように調整量を決定する。
【０１０７】
基地局装置１０−１の配置セルを下りリンク接続セルとする移動局装置が、基地局装置１０−１の配置セルを上りリンク最高品質セルとする移動局装置よりも少ないときは、調整量決定部３２は、送信アンテナ１１のチルト角を小さくするように調整量を決定する。これに加えて又はこれに代えて、調整量決定部３２は、受信アンテナ１２のチルト角を大きくするように調整量を決定する。調整量決定部３２は、例えば、非対称度とチルト角の調整量との関係を予め定めるテーブルや計算式に基づいて、調整量の大きさを決定してよい。また例えば、一度の調整で調整量決定部３２から指示される調整量を、固定されたステップ角度幅Δθの調整量としてよい。
【０１０８】
図２２は、図１７に示す無線通信システムにおけるアンテナのチルト角の制御例の説明図である。別な実施の態様においては、下記のオペレーションＥＡ〜ＥＪの各オペレーションはステップであってもよい。
【０１０９】
オペレーションＥＡにおいて、基地局装置１０−１や、隣接基地局装置１０−２を含むその他の基地局装置の下りリンク用参照信号送信部１６は、下りリンク用参照信号を送信する。オペレーションＥＢにおいて移動局装置６０の下りリンク通信品質測定部６３は、これらの基地局装置と移動局装置６０との間のそれぞれの下りリンクの受信品質を測定する。下りリンク接続セル決定部６４は下りリンク接続セルを決定し、下りリンク接続セルに配置された基地局装置へ下りリンク接続セル情報を送信する。
【０１１０】
オペレーションＥＣにおいて移動局装置６０の上り用リンク参照信号送信部６５は、上りリンク用参照信号を送信する。オペレーションＥＤにおいて、基地局装置１０−１や、隣接基地局装置１０−２を含むその他の基地局装置の上りリンク通信品質測定部２０は、各基地局装置と移動局装置６０との間のそれぞれの上りリンクの通信品質を測定する。
【０１１１】
オペレーションＥＥにおいて基地局装置１０−１の基地局間通信部１８は、上りリンク通信品質測定部２０により生成された上りリンク通信品質情報を隣接基地局装置１０−２へ送信する。また、基地局装置１０−１の基地局間通信部１８は、接続セル指示情報取得部２３により取得された下りリンク接続セル指示情報を隣接基地局装置１０−２へ送信する。
【０１１２】
一方で基地局装置１０−１の隣接セル通信品質取得部１９は、隣接基地局装置１０−２から送信される上りリンク通信品質情報を受信する。また基地局装置１０−１の隣接セル接続情報取得部２４は、隣接基地局装置１０−２から送信される下りリンク接続セル指示情報を受信する。オペレーションＥＦにおいて基地局装置１０−１の対応関係情報作成部３３は、対応関係情報３６を作成する。
【０１１３】
オペレーションＥＧにおいて基地局装置１０−１の非対称度決定部３５は、上述の非対称度を算出する。すなわち非対称度決定部３５は、基地局装置１０−１の配置セルを下りリンク接続セルとする移動局装置６０の数と、基地局装置１０−１の配置セルを上りリンク最高品質セルとする移動局装置６０の数との相違を算出する。調整量決定部３２は、非対称度が所定の閾値Ｔ３以下であるか否かを判定する。非対称度が閾値Ｔ３以下であるとき（オペレーションＥＧ：Ｙ）、処理は終了する。非対称度が閾値Ｔ３以下でないとき（オペレーションＥＧ：Ｎ）、処理はオペレーションＥＨへ移行する。
【０１１４】
オペレーションＥＨにおいて調整量決定部３２は、基地局装置１０−１の配置セルを上りリンク最高品質セルとする移動局装置６０が、基地局装置１０−１の配置セルを下りリンク接続セルとする移動局装置６０よりも多いか否かを判定する。基地局装置１０−１の配置セルを上りリンク最高品質セルとする移動局装置６０が、基地局装置１０−１の配置セルを下りリンク接続セルとする移動局装置６０よりも多いとき（オペレーションＥＨ：Ｙ）、処理はオペレーションＥＩへ移る。基地局装置１０−１の配置セルを上りリンク最高品質セルとする移動局装置６０が、基地局装置１０−１の配置セルを下りリンク接続セルとする移動局装置６０よりも多くないとき（オペレーションＥＨ：Ｎ）、処理はオペレーションＥＪへ移る。
【０１１５】
オペレーションＥＩにおいて調整量決定部３２は、送信アンテナ１１のチルト角を小さくするように調整量を決定する。これに加えて又はこれに代えて、調整量決定部３２は、受信アンテナ１２のチルト角を大きくするように調整量を決定する。オペレーションＥＪにおいて調整量決定部３２は、送信アンテナ１１のチルト角を大きくするように調整量を決定する。これに加えて又はこれに代えて、調整量決定部３２は、受信アンテナ１２のチルト角を小さくするように調整量を決定する。チルト角変更部１３は、決定された調整量に基づいて送信アンテナ１１のチルト角を変更する。これに加えて又はこれに代えてチルト角変更部１４は、決定された調整量に基づいて受信アンテナ１２のチルト角を変更する。オペレーションＥＩ又はＥＪの後、処理はオペレーションＥＢへ戻る。オペレーションＥＧの判定において非対称度が閾値Ｔ３以下となるまで、オペレーションＥＢ〜オペレーションＥＪが反復される。
【０１１６】
本実施例によれば、基地局装置１０−１は、移動局装置６０から送信される下りリンク接続セル指示情報と、移動局装置６０との間で測定される上りリンク通信品質に基づいて、送信アンテナ１１及び受信アンテナ１２のチルト角を制御することができる。
【０１１７】
なお、図１７〜図２２を参照して説明した実施例においては、各移動局装置６０は、下りリンク接続セル指示情報を、下りリンク接続セルに配置された基地局装置へ送信する。そして各基地局装置は、送信された下りリンク接続セル指示情報を、基地局間通信部１８によって隣接基地局装置へ送信する。これに代えて各移動局装置６０は、下りリンク接続セル指示情報を、下りリンク接続セルとその周辺のセルにそれぞれ配置される各基地局装置へ送信してもよい。この場合、基地局装置１０−１は、隣接基地局装置１０−２のセルを下りリンク接続セルと指示するリンク接続セル指示情報を、移動局装置６０から直接受信することができるため、隣接セル接続情報取得部２４は省略されてもよい。
【０１１８】
また、図１７〜図２２を参照して説明した実施例においても、図１３〜図１６を参照して説明した実施例と同様に、各基地局装置は、それぞれの受信アンテナ１２から、上りリンクにおける通信品質測定用の上りリンク用参照信号を送信してよい。移動局装置６０は、各基地局装置から上りリンク用参照信号をそれぞれ受信することにより、各基地局装置と移動局装置６０とのそれぞれの間の上りリンクの通信品質を測定してよい。このため各基地局装置は、図１４に示す構成要素を備えていてよく、移動局装置６０は図１５に示す構成要素を備えていてよい。
【０１１９】
続いて、無線通信システムにおける他の実施例を説明する。図２３は、無線通信システムにおける第５実施例の構成図である。無線通信システム１は、基地局装置１０−１と、隣接基地局装置１０−２と、複数の移動局装置６０を含む。基地局装置１０−１及び隣接基地局装置１０−２は、下りリンク用参照信号を移動局装置６０へ送信する。移動局装置６０は、受信した下りリンク用参照信号の受信品質に基づいて、基地局装置１０−１の配置セルと隣接基地局装置１０−２の配置セルとの間のセル境界でハンドオーバが発生したか否かを判定する。
【０１２０】
ハンドオーバが発生したとき、移動局装置６０はハンドオーバが生じたことを指示するハンドオーバ情報を、ハンドオーバ基地局装置１０−１と隣接基地局装置１０−２へ通知する。また、移動局装置６０は上りリンク用参照信号を送信する。基地局装置１０−１は、上りリンク用参照信号を受信することにより、基地局装置１０−１と移動局装置６０との間の上りリンクの通信品質を測定する。また隣接基地局装置１０−２も同様に、隣接基地局装置１０−２と移動局装置６０との間の上りリンクの通信品質を測定する。
【０１２１】
図２４は、図２３に示す移動局装置６０の構成例を示す図である。参照符号６６はハンドオーバ情報送信部を示す。図１８に示す構成要素と同様の構成要素には図１８で使用した参照符号と同じ参照符号を付する。移動局装置６０は、送信アンテナ６１と受信アンテナ６２と、下りリンク通信品質測定部６３と、下りリンク接続セル決定部６４と、上り用リンク参照信号送信部６５と、ハンドオーバ情報送信部６６を備える。
【０１２２】
下りリンク接続セル決定部６４は、下りリンクの受信品質に基づいて、移動局装置６０がハンドオーバ処理を行うか否かを判定する。ハンドオーバが発生したとき、ハンドオーバ情報送信部６６は、ハンドオーバが生じたことを通知するハンドオーバ情報を、ハンドオーバ基地局装置１０−１と隣接基地局装置１０−２へ送信する。ハンドオーバ基地局装置１０−１及び隣接基地局装置１０−２へ送信する代わりに、ハンドオーバ情報送信部６６は、ハンドオーバ元の基地局装置及びハンドオーバ先の基地局装置のいずれか一方へハンドオーバ情報を送信してもよい。このとき、ハンドオーバ情報を受信した上記一方の基地局装置は、移動局装置６０にハンドオーバが生じたことを、基地局間通信によって他方の基地局装置へ通知してもよい。ハンドオーバ情報は、例えば移動局装置６０の識別子や、ハンドオーバが生じたセル境界を有するセルの識別子を含む情報であってよい。
【０１２３】
図２５は、図２３に示す基地局装置１０−１の構成例を示す図である。参照符号２５はハンドオーバ情報取得部を示す。図１９に示す構成要素と同様の構成要素には図１９で使用した参照符号と同じ参照符号を付する。基地局装置１０−１は、送信アンテナ１１と、受信アンテナ１２と、チルト角変更部１３及び１４と、チルト角制御部１５と、下りリンク用参照信号送信部１６と、基地局間通信部１８と、上りリンク通信品質測定部２０と、ハンドオーバ情報取得部２５を備える。基地局間通信部１８は、隣接セル通信品質取得部１９を備える。
【０１２４】
ハンドオーバ情報取得部２５は、移動局装置６０から送信されたハンドオーバ情報を受信する。ハンドオーバが発生したとき、上りリンク通信品質測定部２０は、基地局装置１０−１と移動局装置６０との間の上りリンクの通信品質を測定する。基地局間通信部１８は、上りリンク通信品質測定部２０により生成された上りリンク通信品質情報を、隣接基地局装置１０−２へ送信する。隣接セル通信品質取得部１９は、隣接基地局装置１０−２から送信される、隣接基地局装置１０−２の上りリンク通信品質測定部２０により生成された上りリンク通信品質情報を受信する。上りリンク通信品質測定部２０により生成された上りリンク通信品質情報及び隣接セル通信品質取得部１９により取得された上りリンク通信品質情報は、チルト角制御部１５へ出力される。
【０１２５】
チルト角制御部１５は、通信装置５０と基地局装置１０−１との間の上りリンクでの通信品質と、通信装置５０と隣接基地局装置１０−２との間の上りリンクの通信品質との差を低減するような受信アンテナ１２のチルト角の調整量を決定する。チルト角変更部１４は、チルト角制御部１５により決定された調整量に基づいて、受信アンテナ１２のチルト角を機械的又は電気的に変更する。例えば、通信装置５０と基地局装置１０−１との間の上りリンクでの通信品質が、通信装置５０と隣接基地局装置１０−２との間の上りリンクの通信品質よりも高いとき、受信アンテナ１２のチルト角を大きくするように調整量を定める。通信装置５０と隣接基地局装置１０−２との間の上りリンクでの通信品質が、通信装置５０と基地局装置１０−１との間の上りリンクの通信品質よりも高いとき、受信アンテナ１２のチルト角を小さくするように調整量を定める。チルト角制御部１５の構成は、図６を参照して上述した構成と同様であってよい。
【０１２６】
またチルト角制御部１５は、送信アンテナ１１のチルト角についても制御してよい。例えば通信装置５０と基地局装置１０−１との間の上りリンクでの通信品質が、通信装置５０と隣接基地局装置１０−２との間の上りリンクの通信品質よりも高いとき、送信アンテナ１１のチルト角を小さくするように送信アンテナ１１のチルト角の調整量を定める。通信装置５０と隣接基地局装置１０−２との間の上りリンクでの通信品質が、通信装置５０と基地局装置１０−１との間の上りリンクの通信品質よりも高いとき、送信アンテナ１１のチルト角を大きくするように調整量を定める。送信アンテナ１１のチルト角についても調整することで、上りリンクの境界線が調整前の位置から大きく動くことを防止することが可能となる。
【０１２７】
図２６は、図２３に示す無線通信システムにおけるアンテナのチルト角の制御例の説明図である。別な実施の態様においては、下記のオペレーションＦＡ〜ＦＫの各オペレーションはステップであってもよい。
【０１２８】
オペレーションＦＡにおいて基地局装置１０−１や、隣接基地局装置１０−２を含むその他の基地局装置の下りリンク用参照信号送信部１６は、下りリンク用参照信号を送信する。オペレーションＦＢにおいて移動局装置６０の下りリンク通信品質測定部６３は、これらの基地局装置と移動局装置６０との間のそれぞれの下りリンクの受信品質を測定する。
【０１２９】
オペレーションＦＣにおいて下りリンク通信品質測定部６３は、基地局装置１０−１の配置セルと隣接基地局装置１０−２の配置セルとの間のセル境界でハンドオーバが発生したか否かを判定する。ハンドオーバが発生していない場合（オペレーションＦＣ：Ｎ）、処理は終了する。ハンドオーバが発生している場合（オペレーションＦＣ：Ｙ）、処理はオペレーションＦＤへ移行する。オペレーションＦＤにおいて移動局装置６０は、ハンドオーバ処理を行う。このとき移動局装置６０のハンドオーバ情報送信部６６は、ハンドオーバが生じたことを指示するハンドオーバ情報を、基地局装置１０−１と隣接基地局装置１０−２へ通知する。
【０１３０】
オペレーションＦＥにおいて移動局装置６０の上り用リンク参照信号送信部６５は、上りリンク用参照信号を送信する。オペレーションＦＦにおいて、基地局装置１０−１及び隣接基地局装置１０−２の上りリンク通信品質測定部２０は、基地局装置１０−１及び隣接基地局装置１０−２と移動局装置６０との間のそれぞれの上りリンクの通信品質を測定する。
【０１３１】
オペレーションＦＧにおいて基地局装置１０−１の基地局間通信部１８は、上りリンク通信品質測定部２０により生成された上りリンク通信品質情報を隣接基地局装置１０−２へ送信する。また、基地局装置１０−１の隣接セル通信品質取得部１９は、隣接基地局装置１０−２から送信される上りリンク通信品質情報を受信する。
【０１３２】
オペレーションＦＨにおいて基地局装置１０−１のチルト角制御部１５は、基地局装置１０−１と移動局装置６０との間、及び隣接基地局装置１０−２と移動局装置６０との間のそれぞれの上りリンクの通信品質の差分が、閾値Ｔ４以下か否かを判定する。通信品質の差分が閾値Ｔ４以下であるとき（オペレーションＦＨ：Ｙ）、処理は終了する。通信品質の差分が閾値Ｔｔ以下でないとき（オペレーションＦＨ：Ｎ）、処理はオペレーションＦＩへ移行する。
【０１３３】
オペレーションＦＩにおいてチルト角制御部１５は、基地局装置１０−１と移動局装置６０との間の通信品質が、隣接基地局装置１０−２と移動局装置６０との間の通信品質よりも高いか否かを判定する。基地局装置１０−１と移動局装置６０との間の通信品質が、隣接基地局装置１０−２と移動局装置６０との間の通信品質よりも高いとき（オペレーションＦＩ：Ｙ）、処理はオペレーションＦＪへ移行する。基地局装置１０−１と移動局装置６０との間の通信品質が、隣接基地局装置１０−２と移動局装置６０との間の通信品質よりも高くないとき（オペレーションＦＩ：Ｎ）、処理はオペレーションＦＫへ移行する。
【０１３４】
オペレーションＦＪにおいて調整量決定部３２は、送信アンテナ１１のチルト角を小さくするように調整量を決定する。これに加えて又はこれに代えて、調整量決定部３２は、受信アンテナ１２のチルト角を大きくするように調整量を決定する。オペレーションＦＫにおいて調整量決定部３２は、送信アンテナ１１のチルト角を大きくするように調整量を決定する。これに加えて又はこれに代えて、調整量決定部３２は、受信アンテナ１２のチルト角を小さくするように調整量を決定する。チルト角変更部１３は、決定された調整量に基づいて送信アンテナ１１のチルト角を変更する。これに加えて又はこれに代えてチルト角変更部１４は、決定された調整量に基づいて受信アンテナ１２のチルト角を変更する。オペレーションＦＪ又はＦＫの後、処理は終了する。
【０１３５】
本実施例によれば、ハンドオーバが発生した移動局装置６０が下りリンクのセル境界にいることを利用して、隣接する各基地局装置と移動局装置６０との間のそれぞれの上りリンク通信品質に基づいて、各アンテナ１１及び１２のチルト角を制御することができる。
【０１３６】
また、図２３〜図２６を参照して説明した実施例においても、図１３〜図１６を参照して説明した実施例と同様に、各基地局装置は、それぞれの受信アンテナ１２から、上りリンクにおける通信品質測定用の上りリンク用参照信号を送信してよい。移動局装置６０は、各基地局装置から上りリンク用参照信号をそれぞれ受信することにより、各基地局装置と移動局装置６０とのそれぞれの間の上りリンクの通信品質を測定してよい。このため各基地局装置１０−１及び１０−２は、図１４に示す構成要素を備えていてよく、移動局装置６０は図１５に示す構成要素を備えていてよい。
【０１３７】
以上の実施例を含む実施形態に関し、更に以下の付記を開示する。
【０１３８】
（付記１）
基地局装置であって、
下りリンクにおける無線信号を送信するための第１アンテナと、
上りリンクにおける無線信号を受信するための第２アンテナと、
前記基地局装置としての第１基地局装置に関する下りリンクでの通信品質及び上りリンクでの通信品質と、隣接基地局装置である第２基地局装置に関する下りリンクでの通信品質及び上りリンクでの通信品質とに基づいて、前記第１基地局装置及び前記第２基地局装置の間における下りリンクのセル境界と上りリンクのセル境界との差を低減するように、前記第１アンテナあるいは前記第２アンテナのそれぞれのチルト角を制御するチルト角制御部と、
を備える基地局装置。
【０１３９】
（付記２）
前記チルト角制御部は、所定地点に置かれた通信装置と前記第１基地局装置との間の下りリンクでの通信品質と、前記通信装置と前記第２基地局装置との間の下りリンクの通信品質との差を低減するように前記第１アンテナのチルト角を制御する、付記１に記載の基地局装置。
【０１４０】
（付記３）
前記チルト角制御部は、所定地点に置かれた通信装置と前記第１基地局装置との間の上りリンクでの通信品質と、前記通信装置と前記第２基地局装置との間の上りリンクの通信品質との差を低減するように前記第２アンテナのチルト角を制御する、付記１に記載の基地局装置。
【０１４１】
（付記４）
前記チルト角制御部は、複数の移動局装置のうち、下りリンクにおいて最も高い通信品質が測定される基地局装置が前記第１基地局装置である移動局装置のグループと、上りリンクにおいて最も高い通信品質が測定される基地局装置が前記第１基地局装置である移動局装置のグループと、の間の不一致を低減するように前記第１アンテナあるいは前記第２アンテナのそれぞれのチルト角を制御する付記１に記載の基地局装置。
【０１４２】
（付記５）
前記チルト角制御部は、ハンドオーバ処理を行う移動局装置と前記第１基地局装置との間の上りリンクでの通信品質と、前記移動局装置と前記第２基地局装置との間の上りリンクの通信品質との差を低減するように前記第１アンテナあるいは前記第２アンテナのチルト角を制御する付記１に記載の基地局装置。
【０１４３】
（付記６）
前記チルト角制御部は、前記第１基地局装置及び前記第２基地局装置の間における下りリンクのセル境界と上りリンクのセル境界との差を低減するように、前記第１アンテナ及び前記第２アンテナのそれぞれのチルト角を制御する付記１〜５のいずれか一項に記載の基地局装置。
【０１４４】
（付記７）
付記１〜５のいずれか一項に記載の基地局装置と通信する移動局装置であって、上りリンクでの通信品質を測定するための参照信号を送信する参照信号送信部を備える移動局装置。
【０１４５】
（付記８）
参照信号送信部は、前記移動局装置がハンドオーバ時に前記参照信号を送信する付記７に記載の移動局装置。
【０１４６】
（付記９）
下りリンクにおける無線信号の送信および上りリンクにおける無線信号の受信のために基地局装置にそれぞれ設けられた第１アンテナ及び第２アンテナのチルト角の制御方法であって、
前記基地局装置としての第１基地局装置に関する下りリンクでの通信品質及び上りリンクでの通信品質と、隣接基地局装置である第２基地局装置に関する下りリンクでの通信品質及び上りリンクでの通信品質をそれぞれ測定し、
測定された各前記通信品質に基づいて、前記第１基地局装置及び前記第２基地局装置の間における下りリンクのセル境界と及び上りリンクのセル境界との差を低減するように、前記第１基地局装置における前記第１アンテナあるいは前記第２アンテナのそれぞれのチルト角を制御する方法。
【符号の説明】
【０１４７】
１０    基地局装置
１１    送信アンテナ
１２    受信アンテナ
１５    チルト角制御部
【図１】
2011055273.tif 000003
【図２】
2011055273.tif 000004
【図３】
2011055273.tif 000005
【図４】
2011055273.tif 000006
【図５】
2011055273.tif 000007
【図６】
2011055273.tif 000008
【図７】
2011055273.tif 000009
【図８】
2011055273.tif 000010
【図９】
2011055273.tif 000011
【図１０】
2011055273.tif 000012
【図１１】
2011055273.tif 000013
【図１２】
2011055273.tif 000014
【図１３】
2011055273.tif 000015
【図１４】
2011055273.tif 000016
【図１５】
2011055273.tif 000017
【図１６】
2011055273.tif 000018
【図１７】
2011055273.tif 000019
【図１８】
2011055273.tif 000020
【図１９】
2011055273.tif 000021
【図２０】
2011055273.tif 000022
【図２１】
2011055273.tif 000023
【図２２】
2011055273.tif 000024
【図２３】
2011055273.tif 000025
【図２４】
2011055273.tif 000026
【図２５】
2011055273.tif 000027
【図２６】
2011055273.tif 000028